(57)【特許請求の範囲】
【請求項１】
ワイヤハーネスを構成する電線が通過可能な複数の経路を画成する本体部と、前記電線を保持する電線保持部と、前記本体部及び前記電線保持部を覆うカバー部と、を備えたワイヤハーネス用プロテクタであって、
前記本体部は、
前記複数の経路として隔壁に隔てられた第１経路及び第２経路を含むと共に、前記第１経路を挟んで前記隔壁と向かい合う第１側壁、及び、前記第２経路を挟んで前記隔壁と向かい合う第２側壁、を有し、
前記電線保持部は、
前記第１経路に係る前記カバー部によって覆われる側を通って前記第１側壁から前記隔壁に向けて延びるように配置可能な保持片、前記第２経路に係る前記カバー部によって覆われる側の反対側を通って前記隔壁から前記第２側壁に向けて延びるように配置可能な係合片、及び、前記保持片と前記係合片とを繋ぐ中間片、を有すると共に、前記本体部に固定可能である、
ワイヤハーネス用プロテクタ。
【請求項２】
請求項１に記載のワイヤハーネス用プロテクタにおいて、
前記隔壁が、
前記第１経路と前記第２経路とが連通した連通部を有し、
前記中間片が、
前記連通部を塞ぐように配置可能である、
ワイヤハーネス用プロテクタ。
【請求項３】
請求項２に記載のワイヤハーネス用プロテクタであって、
前記本体部が、
前記第１経路と前記第２経路とが合流する第３経路を有し、
前記隔壁が、
前記第１経路と前記第２経路の合流位置から離れた位置に前記連通部を有する、
ワイヤハーネス用プロテクタ。
【請求項４】
請求項１〜請求項３の何れか一項に記載のワイヤハーネス用プロテクタにおいて、
前記電線保持部が、
前記保持片が前記第１側壁にヒンジ部を介して回転可能に接続され、且つ、前記係合片が前記第２側壁に係合可能な係合部を有する、ように構成され、
前記本体部が、
前記係合部に対応する被係合部を有する、ように構成された、
ワイヤハーネス用プロテクタ。
【請求項５】
複数の電線と、前記複数の電線を内部に収容するプロテクタと、を備えたワイヤハーネスの製造方法であって、
前記プロテクタは、
前記電線が通過可能な複数の経路を画成する本体部と、前記電線を保持する電線保持部と、前記本体部及び前記電線保持部を覆うカバー部と、を有し、
前記本体部は、前記複数の経路として隔壁に隔てられた第１経路及び第２経路を含むと共に、前記第１経路を挟んで前記隔壁と向かい合う第１側壁、及び、前記第２経路を挟んで前記隔壁と向かい合う第２側壁、を有し、
前記電線保持部は、前記第１経路に係る前記カバー部によって覆われる側を通って前記第１側壁から前記隔壁に向けて延びるように配置可能な保持片、前記第２経路に係る前記カバー部によって覆われる側の反対側を通って前記隔壁から前記第２側壁に向けて延びるように配置可能な係合片、及び、前記保持片と前記係合片とを繋ぐ中間片、を有すると共に、前記本体部に固定可能である、
と共に、
前記第１経路に前記複数の電線の一部である第１電線群を収容する第１工程と、
前記保持片によって前記第１電線群を前記第１経路内に保持すると共に、前記係合片によって前記電線保持部を前記本体部に固定する第２工程と、
前記第２経路に前記複数の電線の他の一部である第２電線群を前記係合片の前記カバー部によって覆われる側を通過するように収容する第３工程と、
前記本体部及び前記電線保持部を覆うように前記カバー部を前記本体部に固定することにより、前記第２電線群を前記第２経路内に保持する第４工程と、を含む、
ワイヤハーネスの製造方法。
【請求項６】
請求項５に記載のワイヤハーネスの製造方法であって、
前記第３工程が、
前記第２電線群に配索用部品を取り付ける工程と、前記配索用部品の少なくとも一部が前記プロテクタの内部に位置するように前記第２電線群を前記第２経路に配置する工程と、を含む、
ワイヤハーネスの製造方法。
【発明の詳細な説明】
【技術分野】
【０００１】
本発明は、ワイヤハーネス用プロテクタ、及び、ワイヤハーネスの製造方法に関する。
【背景技術】
【０００２】
従来から、ワイヤハーネスを構成する電線を収容可能な経路（空洞・空間）を内部に画成するワイヤハーネス用プロテクタが提案されている。ワイヤハーネス用プロテクタは、一般に、その内部に収容した電線を保護すると共に、ワイヤハーネスを自動車の車体等に配索する際の固定具として用いられる。以下、便宜上、ワイヤハーネス用プロテクタを単に「プロテクタ」と称呼する。
【０００３】
例えば、従来のプロテクタの一つ（以下「従来プロテクタ」という。）は、底壁と両側壁とを有する桶状のプロテクタ本体と、プロテクタ本体の上端側の開口部を覆うカバーと、を備える。従来プロテクタは、プロテクタ本体の底壁と両側壁が画成する経路内に電線を収容した後、プロテクタ本体にカバーを取り付けて固定することにより、電線を収容するようになっている（例えば、特許文献１を参照。）。
【先行技術文献】
【特許文献】
【０００４】
【特許文献１】特開２００５−２９５７２８号公報
【発明の概要】
【発明が解決しようとする課題】
【０００５】
ところで、ワイヤハーネスは、プロテクタへの電線の収容を含む一連の製造工程を経て製造される。より具体的には、ワイヤハーネスは、一般に、専用の作業台（いわゆる治具板等）上にて、複数の電線、及び、それら電線に取り付ける各種の配索用部材（例えば、プロテクタ、グロメット及びクランプ等）を組み付けることにより、製造される。但し、ワイヤハーネスを構成する電線および配索用部材は多種多様であるため、一般に、ワイヤハーネスは、複数の作業台上での複数の製造工程を経て製造される。
【０００６】
これら製造過程において、ある作業台から他の作業台にプロテクタを取り付けた電線（製造途中のワイヤハーネス）を移動させる場合、電線からプロテクタが離脱することを防ぐため、一般に、その移動の前に従来プロテクタのようにプロテクタ本体にカバーが取り付けられる。換言すると、プロテクタ本体へのカバーの取り付け（プロテクタへの電線の収容）は、一般に、個々の作業台において完結するようになっていた。
【０００７】
そのため、ワイヤハーネスの構造の複雑化などに起因して作業台間の移動回数が増えると、ワイヤハーネスに取り付けられるプロテクタの数も増大するようになっていた。しかしながら、ワイヤハーネスを製造する際の作業性、製造後のワイヤハーネスを車両等に取り付ける際の配索性、及び、ワイヤハーネスの製造コスト等の観点において、プロテクタの数は出来る限り少ないことが望ましい。
【０００８】
本発明は、上述した事情に鑑みてなされたものであり、その目的は、ワイヤハーネスに要するプロテクタの数を低減可能なワイヤハーネス用プロテクタ、及び、そのようなプロテクタを用いたワイヤハーネスの製造方法、を提供することにある。
【課題を解決するための手段】
【０００９】
前述した目的を達成するために、本発明に係るワイヤハーネス用プロテクタは、下記（１）〜（４）を特徴としている。
（１）
ワイヤハーネスを構成する電線が通過可能な複数の経路を画成する本体部と、前記電線を保持する電線保持部と、前記本体部及び前記電線保持部を覆うカバー部と、を備えたワイヤハーネス用プロテクタであって、
前記本体部は、
前記複数の経路として隔壁に隔てられた第１経路及び第２経路を含むと共に、前記第１経路を挟んで前記隔壁と向かい合う第１側壁、及び、前記第２経路を挟んで前記隔壁と向かい合う第２側壁、を有し、
前記電線保持部は、
前記第１経路に係る前記カバー部によって覆われる側を通って前記第１側壁から前記隔壁に向けて延びるように配置可能な保持片、前記第２経路に係る前記カバー部によって覆われる側の反対側を通って前記隔壁から前記第２側壁に向けて延びるように配置可能な係合片、及び、前記保持片と前記係合片とを繋ぐ中間片、を有すると共に、前記本体部に固定可能である、
ワイヤハーネス用プロテクタであること。
（２）
上記（１）に記載のワイヤハーネス用プロテクタにおいて、
前記隔壁が、
前記第１経路と前記第２経路とが連通した連通部を有し、
前記中間片が、
前記連通部を塞ぐように配置可能である、
ワイヤハーネス用プロテクタであること。
（３）
上記（２）に記載のワイヤハーネス用プロテクタであって、
前記本体部が、
前記第１経路と前記第２経路とが合流する第３経路を有し、
前記隔壁が、
前記第１経路と前記第２経路の合流位置から離れた位置に前記連通部を有する、
ワイヤハーネス用プロテクタであること。
（４）
上記（１）〜上記（３）の何れか一つに記載のワイヤハーネス用プロテクタにおいて、
前記電線保持部が、
前記保持片が前記第１側壁にヒンジ部を介して回転可能に接続され、且つ、前記係合片が前記第２側壁に係合可能な係合部を有する、ように構成され、
前記本体部が、
前記係合部に対応する被係合部を有する、ように構成された、
ワイヤハーネス用プロテクタであること。
【００１０】
上記（１）の構成のワイヤハーネス用プロテクタによれば、プロテクタの第１経路にワイヤハーネスを形成する複数の電線の一部（第１電線群）を収容した後、プロテクタに電線保持部を固定すれば、第１経路の上側（カバーに近い側）を通る電線保持部の保持片によって第１経路に収容された第１電線群を保持できる。そのため、従来プロテクタとは異なり、本体部にカバー部を取り付けることなく、第１経路に収容された電線群を保持できる。更に、このとき、電線保持部の係合片は第２経路の下側（カバーから離れている側）を通るように配置されるため、第２経路は、電線を収容可能な状態に維持される。換言すると、第１経路が電線（第１電線群）を収容して保持し且つ第２経路が電線を収容可能な状態を維持したまま、カバー部を本体部に取り付けることなく（即ち、プロテクタへの電線の収容を完結することなく）、ある作業台から他の作業台へ製造途中のワイヤハーネスを移動させられる。
【００１１】
更に、例えば、移動先の他の作業台において、第２経路に複数の電線の他の一部（第２電線群）を係合片の上側を通過するように収容した後、本体部にカバー部を取り付けて固定すれば、カバー部によって第２経路に収容された第２電線群を保持できる。
【００１２】
このように、本構成のワイヤハーネス用プロテクタによれば、作業台ごとにプロテクタの取り付けを完結しなくてもよい。したがって、本構成のワイヤハーネス用プロテクタは、従来プロテクタのように作業台ごとにプロテクタの取り付けを完結する場合に比べ、ワイヤハーネスに要するプロテクタの数を低減できる。
【００１３】
なお、第１経路に収容される電線を保持するための電線保持部と、第２経路に収容される電線を保持するための電線保持部と、を互いに独立した別部材とした場合、作業台ごとにプロテクタの取り付けを完結しなくてもよいものの、各々の電線保持部に本体部への固定用の係合部を設け、本体部にはそれら係合部に対応する被係合部を設けることになる。よって、本構成のワイヤハーネス用プロテクタに比べ、電線保持部を複数の別部材とした分だけ係合部および被係合部の数が増大する。このように増大した係合部および被係合部は、電線を保持するための経路の容積を減少させ、経路に収容可能な電線の数および種類などを低減させる要因となる。したがって、本構成のワイヤハーネス用プロテクタは、経路ごとに複数の電線保持部を設ける場合に比べ、プロテクタ内の経路の容積を最大限に活用できるという利点を有する。
【００１４】
上記（２）の構成のワイヤハーネス用プロテクタによれば、隔壁に形成された切欠き部（連通部）を塞ぐように電線保持部の一部（中間片）が配置され、その中間片が隔壁の一部を担うことになる。そのため、隔壁に連通部が存在せず中間片の全体が経路内（第１経路内または第２経路内）に配置される場合に比べ、中間片が経路内に突出する突出量が小さくなる分、経路の容積を増大させられる。その結果、経路内に収容可能な電線の数および種類などを増大できる。よって、本構成のワイヤハーネス用プロテクタによれば、プロテクタ内の経路の容積を最大限に活用できる。
【００１５】
上記（３）の構成のワイヤハーネス用プロテクタによれば、プロテクタに収容される電線の中に第１経路から合流位置を経由して第２経路に向かう電線（即ち、第３経路に向かわない電線）が存在する場合であっても、その電線は、合流位置に隣接する隔壁に接触するため、連通部には侵入しない。そのため、その電線が電線保持部（中間片等）と本体部との間に挟まれることがない。よって、合流位置に隣接する位置に連通部が存在する（換言すると、合流位置に隣接する位置に電線保持部の中間片が存在する）場合に比べ、その電線の損傷等を防止できる。
【００１６】
上記（４）の構成のワイヤハーネス用プロテクタによれば、ヒンジ部を中心に電線保持部を回転させることにより、容易に電線保持部を本体部に固定できる。そのため、本体部と電線保持部とが分離した別部材である場合に比べ、第１経路に電線を収容する工程の作業性を高められる。
【００１７】
更に、前述した目的を達成するために、本発明に係るワイヤハーネスの製造方法は、下記（５）及び（６）を特徴としている。
（５）
複数の電線と、前記複数の電線を内部に収容するプロテクタと、を備えたワイヤハーネスの製造方法であって、
前記プロテクタは、
前記電線が通過可能な複数の経路を画成する本体部と、前記電線を保持する電線保持部と、前記本体部及び前記電線保持部を覆うカバー部と、を有し、
前記本体部は、前記複数の経路として隔壁に隔てられた第１経路及び第２経路を含むと共に、前記第１経路を挟んで前記隔壁と向かい合う第１側壁、及び、前記第２経路を挟んで前記隔壁と向かい合う第２側壁、を有し、
前記電線保持部は、前記第１経路に係る前記カバー部によって覆われる側を通って前記第１側壁から前記隔壁に向けて延びるように配置可能な保持片、前記第２経路に係る前記カバー部によって覆われる側の反対側を通って前記隔壁から前記第２側壁に向けて延びるように配置可能な係合片、及び、前記保持片と前記係合片とを繋ぐ中間片、を有すると共に、前記本体部に固定可能である、
と共に、
前記第１経路に前記複数の電線の一部である第１電線群を収容する第１工程と、
前記保持片によって前記第１電線群を前記第１経路内に保持すると共に、前記係合片によって前記電線保持部を前記本体部に固定する第２工程と、
前記第２経路に前記複数の電線の他の一部である第２電線群を前記係合片の前記カバー部によって覆われる側を通過するように収容する第３工程と、
前記本体部及び前記電線保持部を覆うように前記カバー部を前記本体部に固定することにより、前記第２電線群を前記第２経路内に保持する第４工程と、を含む、
ワイヤハーネスの製造方法であること。
（６）
上記（５）に記載のワイヤハーネスの製造方法であって、
前記第３工程が、
前記第２電線群に配索用部品を取り付ける工程と、前記配索用部品の少なくとも一部が前記プロテクタの内部に位置するように前記第２電線群を前記第２経路に配置する工程と、を含む、
ワイヤハーネスの製造方法であること。
【００１８】
上記（５）の構成のワイヤハーネスの製造方法によれば、プロテクタの第１経路にワイヤハーネスを形成する複数の電線の一部（第１電線群）を収容した後、プロテクタに電線保持部を固定することにより、第１経路の上側（カバーに近い側）を通る電線保持部の保持片によって第１経路に収容された第１電線群を保持できる。そのため、従来プロテクタとは異なり、本体部にカバー部を取り付けることなく、第１経路に収容された電線群を保持できる。更に、このとき、電線保持部の係合片は第２経路の下側（カバーから離れている側）を通るように配置されるため、第２経路は、電線を収容可能な状態に維持される。換言すると、第１経路が電線（第１電線群）を収容して保持し且つ第２経路が電線を収容可能な状態を維持したまま、カバー部を本体部に取り付けることなく（即ち、プロテクタへの電線の収容を完結することなく）、ある作業台から他の作業台へ製造途中のワイヤハーネスを移動させられる。
【００１９】
更に、例えば、移動先の他の作業台において、第２経路に複数の電線の他の一部（第２電線群）を係合片の上側を通過するように収容した後、本体部にカバー部を取り付けて固定することにより、カバー部によって第２経路に収容された第２電線群を保持できる。
【００２０】
このように、本構成のワイヤハーネスの製造方法によれば、作業台ごとにプロテクタの取り付けを完結しなくてもよい。したがって、本構成のワイヤハーネスの製造方法は、従来プロテクタを用いて作業台ごとにプロテクタの取り付けを完結する場合に比べ、ワイヤハーネスに要するプロテクタの数を低減できる。
【００２１】
上記（６）の構成のワイヤハーネスの製造方法によれば、配索用部品（例えば、グロメット及びクランプ等、並びに、それらを電線に固定するために電線に巻きつけたテープ等）の少なくとも一部がプロテクタの内部に位置することになる。そのため、配索用部品の全体がプロテクタの外に露出している場合に比べ、配索用部品の損傷を軽減できる。更に、ワイヤハーネスを車両等に配索する際、プロテクタと共に配索用部品を車両等に固定できる。加えて、配索用部品とプロテクタとを一体的に取り扱うことにより、ワイヤハーネスを製造する作業性を高められる。
【発明の効果】
【００２２】
本発明によれば、ワイヤハーネスに要するプロテクタの数を低減可能なワイヤハーネス用プロテクタ、及び、そのようなプロテクタを用いたワイヤハーネスの製造方法、を提供できる。
【００２３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２４】
【図１】図１は、本実施形態に係るワイヤハーネス用プロテクタにおいて、電線保持部が退避位置に配置された場合の斜視図である。
【図２】図２は、本実施形態に係るワイヤハーネス用プロテクタにおいて、電線保持部が装着位置に配置された場合の斜視図である。
【図３】図３は、図２におけるＡ−Ａ断面図である。
【図４】図４は、プロテクタの本体部に電線が収容されたワイヤハーネスの平面図である。
【図５】図５は、ワイヤハーネスの製造方法を説明するための概略図であって、プロテクタに電線群が収容される前の時点における、電線群の経路の軸方向と直交する方向の断面図である。
【図６】図６は、ワイヤハーネスの製造方法を説明するための概略図であって、プロテクタの本体部に第１電線が収容された時点における、電線群の経路の軸方向と直交する方向の断面図である。
【図７】図７は、ワイヤハーネスの製造方法を説明するための概略図であって、プロテクタの本体部に電線保持部が固定された時点における、電線群の経路の軸方向と直交する方向の断面図である。
【図８】図８は、ワイヤハーネスの製造方法を説明するための概略図であって、プロテクタの本体部に第１電線及び第２電線が収容された時点における、電線群の経路の軸方向と直交する方向の断面図である。
【図９】図９は、ワイヤハーネスの製造方法を説明するための概略図であって、プロテクタの本体部にカバー部が装着された時点における、電線群の経路の軸方向と直交する方向の断面図である。
【図１０】図１０は、変形例１に係るプロテクタの電線群の経路の軸方向と直交する方向の断面図である。
【図１１】図１１は、変形例２に係るプロテクタの電線群の経路の軸方向と直交する方向の断面図である。
【発明を実施するための形態】
【００２５】
以下、図面を参照しながら、本発明に係るワイヤハーネス用プロテクタ、及び、ワイヤハーネスの製造方法の実施の形態について説明する。
【００２６】
＜実施形態＞
図１〜図３に示すように、本実施形態に係るワイヤハーネス用プロテクタ（以下「プロテクタ１０」という。）は、本体部１１と、電線保持部１２と、カバー部１３と、を備えている。これらの本体部１１、電線保持部１２及びカバー部１３は、合成樹脂から形成されている。プロテクタ１０は、複数の電線を束ねた電線群に組み付けられてワイヤハーネスを構成する。プロテクタ１０は、例えば、車両の所定箇所に固定される。これにより、ワイヤハーネスが車体に配索されることになる。
【００２７】
本体部１１は、ワイヤハーネスを構成する電線が通過可能な複数の経路を画成している。本体部１１は、底板部２０、第１側壁２１、第２側壁２２及び隔壁２３を有している。底板部２０は、長尺の板状に形成されており、第１側壁２１及び第２側壁２２は、底板部２０の側縁から上方へ立設されている。隔壁２３は、底板部２０の幅方向の略中央部に立設されており、第１側壁２１及び第２側壁２２と並列に配置されている。隔壁２３は、底板部２０の長手方向に沿って、本体部１１の一端１１ａ側から他端１１ｂへ向かう途中まで延在されている。
【００２８】
本体部１１は、電線を通す複数の経路として、第１経路３１、第２経路３２及び第３経路３３を有している（各経路に電線が収容された様子については、図４を参照。）。第１経路３１及び第２経路３２は、互いに隣接しており、第３経路３３は、第１経路３１及び第２経路３２に対して本体部１１の長手方向に連なるように、第１経路３１と第２経路３２とが合流する位置に設けられている。
【００２９】
第１経路３１と第２経路３２とは、本体部１１の幅方向の略中央位置に形成された隔壁２３に隔てられている。これにより、第１側壁２１は、第１経路３１を挟んで隔壁２３と向かい合う位置に配置され、第２側壁２２は、第２経路３２を挟んで隔壁２３と向かい合う位置に配置されている。更に、隔壁２３は、連通部２４を有している。連通部２４は、隔壁２３の壁部が切り欠かれた（壁部が存在しない）部分であり、第１経路３１と第２経路３２がその連通部２４を通じて互いに連通している部分である。連通部２４は、第３経路３３側の端部近傍で、第１経路３１と第２経路３２の合流位置Ｇから離れた位置に形成されている。
【００３０】
電線保持部１２は、電線を保持するための部材であり、保持片４１、係合片４２及び中間片４３を有している。電線保持部１２は、本体部１１に一体的に（後述するヒンジ部４４を介して）設けられており、電線を保持した状態にて本体部１１に固定可能とされている。電線保持部１２は、その保持片４１の端部が、本体部１１の第１側壁２１における上縁部に、ヒンジ部４４を介して回動可能に接続されている。電線保持部１２は、ヒンジ部４４による第１側壁２１との接続側から順に、保持片４１、中間片４３及び係合片４２を有している。換言すると、電線保持部１２は、保持片４１と係合片４２とが中間片４３で繋がれるように構成されている。
【００３１】
図２に示すように、電線保持部１２は、ヒンジ部４４を中心に回動することにより、本体部１１内に収容されるようになっている。別の言い方をすると、電線保持部１２は、本体部１１の外側の退避位置（図１に示す位置）から、本体部１１内に収容された装着位置（図２及び図３に示す位置）へ、ヒンジ部４４を中心に回動することによって移動可能となっている。
【００３２】
保持片４１は、装着位置（図２及び図３に示す位置）において、第１側壁２１の上端から隔壁２３の上端に向けて延びるように配置されることになる。これにより、第１側壁２１と隔壁２３との間に形成された第１経路３１は、その上側が電線保持部１２の保持片４１によって覆われる。
【００３３】
一方、係合片４２は、装着位置（図２及び図３に示す位置）において、隔壁２３の下端から第２側壁２２の下端に向けて延びるように配置されることになる。これにより、係合片４２は、第２側壁２２と隔壁２３との間に形成された第２経路３２の下側を通される。
【００３４】
更に、中間片４３は、装着位置（図２及び図３に示す位置）において、隔壁２３の連通部２４を塞ぐように配置されることになる。
【００３５】
再び図１を参照すると、係合片４２は、係合片４２における中間片４３と反対側の端部に、係合部４５を有している。係合部４５は、装着位置（図２及び図３に示す位置）において、係合片４２から第２側壁２２の内面に沿って上端側へ延びることになる（図３も参照。）。更に、係合部４５は、折り返し部４６を有している。折り返し部４６は、装着位置（図２及び図３に示す位置）において、第２側壁２２の上端で第２側壁２２の外面側へ折り返されるように延びることになる。折り返し部４６には、係合爪４７が形成されている。
【００３６】
更に、本体部１１は、第３経路３３側に、電線保持部１２とは異なる電線保持部５１を備えている。電線保持部５１は、本体部１１に一体的に（後述するヒンジ部５２を介して）設けられており、装着位置（図２に示す位置）において第３経路３３の上側を覆うように、第１側壁２１の上端から第２側壁２２の上端に架け渡された状態で本体部１１に固定可能とされている。電線保持部５１は、一端が、本体部１１の第１側壁２１における上縁部に、ヒンジ部５２を介して回動可能に接続されている。
【００３７】
図２に示すように、電線保持部５１は、ヒンジ部５２を中心に回動することにより、本体部１１内に収容されるようになっている。別の言い方をすると、電線保持部５１は、本体部１１の外側の退避位置（図１に示す位置）から、本体部１１内に収容された装着位置（図２に示す位置）へ、ヒンジ部５２を中心に回動することによって移動可能となっている。電線保持部５１は、ヒンジ部５２を有する一端とは逆側の他端側に係合部５３を有している。係合部５３は、装着位置（図２に示す位置）において、第２側壁２２の外面側へ折り返されるように延びる折り返し部５４を有しており、この折り返し部５４には、係合爪５５が形成されている。
【００３８】
再び図１を参照すると、本体部１１を構成する第１側壁２１は、その上端に、電線保持部１２の係合部４５が嵌合される係合凹部２５、及び、電線保持部５１が嵌合される係合凹部２７を有している。更に、本体部１１は、第１側壁２１の外面側に電線保持部１２の係合部４５に対応する被係合部２６を有し（図３も参照。）、第１側壁２１の外面に電線保持部５１の係合部５３に対応する被係合部２８を有している。被係合部２６，２８は、それぞれ両端が第１側壁２１の外面に固定され、第１側壁２１の外面に対して隙間をあけて配置されている。被係合部２６には、第１側壁２１の外面との隙間に電線保持部１２の係合部４５が挿し込まれることにより、係合爪４７が係合される。更に、被係合部２８には、第１側壁２１の外面との隙間に電線保持部５１の係合部５３が挿し込まれることにより、係合爪５５が係合される。
【００３９】
カバー部１３は、本体部１１の上部に装着され、本体部１１、電線保持部１２及び電線保持部５１を覆う部材である。カバー部１３は、上板部６０、第１側壁６１及び第２側壁６２を有している。上板部６０は、長尺の板状に形成されており、第１側壁６１及び第２側壁６２は、上板部６０の側縁から下方へ延びている。カバー部１３は、第１側壁６１と第２側壁６２の内面側の間隔が、本体部１１の幅寸法よりも僅かに大きいように形成されている。これにより、本体部１１の上部にカバー部１３を被せることにより、本体部１１の上部がカバー部１３の第１側壁６１と第２側壁６２との間に入り込む。これにより、本体部１１の上部にカバー部１３が装着され、本体部１１の第１経路３１、第２経路３２及び第３経路３３の上方側がカバー部１３によって塞がれる（後述するワイヤハーネスの製造方法も参照。）。
【００４０】
次に、プロテクタ１０と、複数の電線１と、を備えたワイヤハーネスＷＨについて説明する。図４は、複数の電線１を収容したプロテクタ１０を上方から見た模式図であり、便宜上、カバー部１３の図示を省略している。
【００４１】
図４に示すように、ワイヤハーネスＷＨは、プロテクタ１０と、プロテクタ１０に保持された電線１を、を有している。プロテクタ１０に保持された複数の電線１は、第１電線群７１と、第２電線群７２と、第３電線群７３とを有している。第３電線群７３は、第１電線群７１と第２電線群７２とが合流した電線群である。換言すると、第１電線群７１と第２電線群７２とは、第３電線群７３から分岐されている。電線１のうちの少なくとも１本の電線１ａは、第１経路３１から合流位置Ｇを経由して第２経路３２に向かうように（即ち、第３経路３３に向かわないように）第１電線群７１と第２電線群７２とにわたって配線されている。
【００４２】
更に、第２電線群７２は、配索用部品７５を備えている。本例では、配索用部品７５として、車体のパネル等に嵌め込まれるグロメット７６と、このグロメット７６を第２電線群７２に固定するテープ７７と、が第２電線群７２に設けられている。グロメット７６は、グロメット７６の一部と第２電線群７２とにわたってテープ７７を巻き付けることにより、第２電線群７２に固定されている。
【００４３】
プロテクタ１０には、本体部１１の第１経路３１に電線１の一部である第１電線群７１が収容され、本体部１１の第２経路３２に電線１の他の一部である第２電線群７２が収容されている。更に、プロテクタ１０には、本体部１１の第３経路３３に、電線１の第３電線群７３が収容されている。加えて、第１電線群７１と第２電線群７２とにわたって配線されている一部の電線１ａは、第１経路３１から合流位置Ｇを経由して第２経路３２に向かうように本体部１１に収容されている。
【００４４】
このように、プロテクタ１０の本体部１１に収容された電線１は、第１電線群７１が、電線保持部１２の保持片４１によって保持され、第３電線群７３が、電線保持部５１によって保持されている。更に、プロテクタ１０の本体部１１にカバー部１３を装着することにより、本体部１１に収容された第１電線群７１、第２電線群７２及び第３電線群７３が保持されている。加えて、第２電線群７２に取り付けられた配索用部品７５は、その一部であるテープ７７の巻き付け部分がプロテクタ１０の内部に位置するように配置されている。
【００４５】
次に、上記構造のワイヤハーネスＷＨを製造する製造方法について説明する。
【００４６】
図５に示すように、プロテクタ１０の本体部１１を治具板上の所定位置に配置させ、電線保持部１２（及び図示しない電線保持部５１）を退避位置に配置させておく。
【００４７】
次いで、図６に示すように、本体部１１の第１経路３１に、第１電線群７１を収容する（第１工程）。なお、このとき、本体部１１の第３経路３３（図示省略）に、第３電線群７３を収容する。
【００４８】
次いで、図７に示すように、電線保持部１２を本体部１１の内側へ向かって（図７の矢印Ｂ方向に）回動させて本体部１１内の装着位置へ移動させ、係合部４５の係合爪４７を被係合部２６に係合させて電線保持部１２を本体部１１に固定する。これにより、電線保持部１２の保持片４１によって第１経路３１の上側を覆い、第１経路３１に収容された第１電線群７１を本体部１１に保持させる（第２工程）。
【００４９】
更に、電線保持部５１（図示省略）を回動させて装着位置へ移動させ、係合部５３の係合爪５５を被係合部２８に係合させて電線保持部５１を本体部１１に固定する。これにより、電線保持部５１で第３経路３３の上側を覆い、第３経路３３に収容された第３電線群７３を本体部１１に保持させる。
【００５０】
次いで、プロテクタ１０の本体部１１を治具板から取り外し、次工程が行われる他の作業台へ本体部１１を配置させる。そして、他の作業台（本例においては、グロメット７６を取り付けるためのグロメット取付機が設けられた作業台）において、第２電線群７２に対して配索用部品７５（グロメット７６及びテープ７７）を装着する。具体的には、第２電線群７２にグロメット７６を通して所定位置に配置させ、グロメット７６の一部と第２電線群７２とにわたってテープ７７を巻き付ける。これにより、配索用部品７５（グロメット７６及びテープ７７）を第２電線群７２の所定位置に固定する。
【００５１】
次いで、図８に示すように、本体部１１の第２経路３２に、配索用部品７５が取付けられた第２電線群７２を収容する（第３工程）。ここで、配索用部品７５を装着した第２電線群７２を本体部１１の第２経路３２へ収容させる際には、配索用部品７５の一部であるテープ７７の巻き付け部分を第２経路３２内に配置させる（図４も参照。）。
【００５２】
その後、図９に示すように、本体部１１の上方から本体部１１へ向かって（図９の矢印Ｃ方向に）カバー部１３を移動させ、本体部１１の上部にカバー部１３を被せ、本体部１１及び電線保持部１２（及び図示しない電線保持部５１）を覆うように、カバー部１３を本体部１１に固定する。これにより、本体部１１の上部にカバー部１３を装着し、本体部１１の第１経路３１、第２経路３２及び第３経路３３の上方側をカバー部１３によって塞ぐ（第４工程）。
【００５３】
上記工程により、第１電線群７１、第２電線群７２及び第３電線群７３を有する電線１にプロテクタ１０が装着されたワイヤハーネスＷＨを製造することができる。
【００５４】
以上に説明したように、本実施形態に係るプロテクタ１０によれば、プロテクタ１０の第１経路３１内にワイヤハーネスＷＨを形成する複数の電線１の一部（第１電線群７１）を収容した後、プロテクタ１０の本体部１１に電線保持部１２を固定すれば、第１経路３１の上側を通る電線保持部１２の保持片４１によって第１経路３１に収容された第１電線群７１を保持できる。そのため、従来プロテクタとは異なり、本体部１１にカバー部１３を取り付けることなく、第１経路３１に収容された第１電線群７１を保持できる。更に、このとき、電線保持部１２の係合片４２は第２経路３２の下側を通るように配置されるため、第２経路３２は、電線（第２電線群７２）を収容可能な状態に維持される。換言すると、第１経路３１が電線（第１電線群７１）を収容して保持し且つ第２経路３２が電線（第２電線群７２）を収容可能な状態を維持したまま、カバー部１３を本体部１１に固定することなく（即ち、プロテクタ１０への電線１の収容を完結することなく）、ある作業台から他の作業台へ、製造途中のワイヤハーネスＷＨを移動させることができる。
【００５５】
更に、その後、移動先の他の作業台（グロメット取付機が設けられた作業台）において、第２経路３２に複数の電線１の他の一部（第２電線群７２）を係合片４２の上側を通過するように収容した後、本体部１１にカバー部１３を取り付けて固定することにより、カバー部１３によって第２経路３２に収容された第２電線群７２を保持できる。
【００５６】
このように、本実施形態のプロテクタ１０によれば、作業台ごとにプロテクタ１０の取り付けを完結しなくてもよい。したがって、プロテクタ１０は、従来プロテクタのように作業台ごとにプロテクタの取り付けを完結する場合に比べ、ワイヤハーネスＷＨに要するプロテクタ１０の数を低減できる。
【００５７】
更に、本実施形態に係るプロテクタ１０によれば、隔壁２３に形成された切欠き部（連通部２４）を塞ぐように電線保持部の一部（中間片４３）が配置され、その中間片４３が隔壁２３の一部を担うことになる。そのため、隔壁２３に連通部２４が存在せず中間片４３の全体が経路内（第１経路３１内または第２経路３２内）に配置される場合に比べ、中間片４３が経路３１，３２内に突出する突出量が小さくなる分、経路３１，３２の容積を増大させられる。よって、プロテクタ１０によれば、プロテクタ１０内の経路の容積を最大限に活用できる。
【００５８】
更に、本実施形態に係るプロテクタ１０によれば、プロテクタ１０に収容される電線１の中に第１経路３１から合流位置Ｇを経由して第２経路３２に向かう電線１ａが存在する場合であっても、その電線１ａは、合流位置Ｇに隣接する隔壁２３に接触するため、連通部２４には入らない。そのため、その電線１ａが電線保持部１２（中間片４３等）と本体部１１との間に挟まれることがない。よって、合流位置Ｇに隣接する位置に連通部２４が存在する（換言すると、合流位置Ｇに隣接する位置に電線保持部１２の中間片４３が存在する）場合に比べ、電線１ａの損傷等を防止できる。
【００５９】
しかも、本実施形態に係るプロテクタ１０によれば、ヒンジ部４４を中心に電線保持部１２を回転させることにより、容易に電線保持部１２を本体部１１に固定できる。そのため、本体部１１と電線保持部１２とが分離した別部材である場合に比べ、第１経路３１に電線１を収容する工程の作業性を高められる。
【００６０】
更に、本実施形態に係るワイヤハーネスＷＨの製造方法によれば、プロテクタ１０の第１経路３１内にワイヤハーネスＷＨを形成する複数の電線１の一部（第１電線群７１）を収容した後、プロテクタ１０に電線保持部１２を固定することにより、第１経路３１の上側を通る電線保持部１２の保持片４１によって第１経路３１に収容された第１電線群７１を保持できる。そのため、従来プロテクタとは異なり、本体部１１にカバー部１３を取り付けることなく、第１経路３１に収容された第１電線群７１を保持できる。更に、このとき、電線保持部１２の係合片４２は第２経路３２の下側を通るように配置されるため、第２経路３２は、電線（第２電線群７２）を収容可能な状態に維持される。換言すると、第１経路３１が電線（第１電線群７１）を収容して保持し且つ第２経路３２が電線（第２電線群７２）を収容可能な状態を維持したまま、カバー部１３を本体部１１に取り付けることなく（即ち、プロテクタ１０への電線１の収容を完結することなく）、ある作業台から他の作業台へ、製造途中のワイヤハーネスＷＨを移動させることができる。
【００６１】
更に、その後、移動先の他の作業台（グロメット取付機が設けられた作業台）において、第２経路３２に複数の電線１の他の一部（第２電線群７２）を係合片４２の上側を通過するように収容した後、本体部１１にカバー部１３を取り付けて固定することにより、カバー部１３によって第２経路３２に収容された第２電線群７２を保持できる。
【００６２】
このように、本実施形態に係るワイヤハーネスＷＨの製造方法によれば、作業台ごとにプロテクタ１０の取り付けを完結しなくてもよい。したがって、従来プロテクタを用いて作業台ごとにプロテクタの取り付けを完結する場合に比べ、ワイヤハーネスＷＨに要するプロテクタ１０の数を低減した状態で、ワイヤハーネスＷＨを製造できる。
【００６３】
更に、本実施形態に係るワイヤハーネスＷＨの製造方法によれば、グロメット７６とテープ７７とからなる配索用部品７５の少なくとも一部であるテープ７７がプロテクタ１０の内部に位置することになる。そのため、配索用部品７５の全体がプロテクタ１０の外に露出している場合に比べ、配索用部品７５の損傷を軽減できる。更に、ワイヤハーネスＷＨを車両等に配索する際、プロテクタ１０と共に配索用部品７５を車両等に固定できる。加えて、配索用部品７５とプロテクタ１０とを一体的に取り扱うことによりワイヤハーネスＷＨを製造する作業性を高められる。なお、配索用部品７５としては、グロメット７６やテープ７７に限らず、電線１に固定されるクランプ等であっても良い。
【００６４】
次に、プロテクタ１０の変形例について説明する。
なお、上記実施形態と同一構成部分は、同一符号を付して説明を省略する。
【００６５】
＜変形例１＞
図１０に示すように、変形例１に係るプロテクタ１０Ａは、３つの経路８１〜８３が並列に配置された本体部１１Ａを有している。更に、このプロテクタ１０Ａは、中央部分が下方へ突出されて凹状に形成された電線保持部１２Ａを有している。
【００６６】
変形例１に係るプロテクタ１０Ａでは、本体部１１Ａにおける両側の経路８１，８３に電線群を収容した後、本体部１１Ａに電線保持部１２Ａを固定することにより、経路８１，８３に収容された電線群を本体部１１Ａに保持できる。そのため、本体部１１Ａにカバー部１３を固定することなく、経路８１，８３に収容された電線群を保持した状態とし、ある作業台から他の作業台へ、製造途中のワイヤハーネスＷＨを移動させることができる。更に、経路８１，８３に電線群を保持させた後、経路８２に電線群を収容して本体部１１Ａにカバー部１３を装着することで、経路８２に収容された電線群を保持できる。
【００６７】
＜変形例２＞
図１１に示すように、変形例２に係るプロテクタ１０Ｂは、３つの経路９１〜９３が並列に配置された本体部１１Ｂを有している。更に、このプロテクタ１０Ｂは、ヒンジ部４４と反対側が下方へ突出されて凹状に形成された電線保持部１２Ｂを有している。
【００６８】
変形例２に係るプロテクタ１０Ｂでは、本体部１１Ｂにおけるヒンジ部４４側の経路９１及び中央の経路９２に電線群を収容した後、本体部１１Ｂに電線保持部１２Ｂを固定することにより、経路９１，９２に収容された電線群を本体部１１Ｂに保持できる。そのため、本体部１１Ｂにカバー部１３を固定することなく、経路９１，９２に収容された電線群を保持した状態とし、ある作業台から他の作業台へ、製造途中のワイヤハーネスＷＨを移動させることができる。更に、経路９１，９２に電線群を保持させた後、経路９３に電線群を収容して本体部１１Ｂにカバー部１３を装着することで、経路９３に収容された電線群を保持できる。
【００６９】
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７０】
例えば、上述した各実施形態では、プロテクタ１０は、それぞれ別体の本体部１１とカバー部１３とを有している。しかし、プロテクタ１０は、本体部１１とカバー部１３とをヒンジ等によって連結した一体構造を有するように構成されてもよい。更に、上述した実施形態では、本体部１１と電線保持部１２とはヒンジ部４４によって連結されている。しかし、電線保持部１２は、本体部１１と分離した別部材として構成されてもよい。その場合、電線保持部１２の保持片４１と本体部１１の第１側壁２１とを係合するための係合部および被係合部を、保持片４１及び第１側壁２１に設ければよい。
【００７１】
ここで、上述した本発明に係るワイヤハーネス用プロテクタ及びワイヤハーネスの製造方法の実施形態の特徴をそれぞれ以下（１）〜（６）に簡潔に纏めて列記する。
（１）（主に、図１〜４を参照。）
ワイヤハーネス（ＷＨ）を構成する電線（１）が通過可能な複数の経路を画成する本体部（１１）と、前記電線を保持する電線保持部（１２）と、前記本体部（１１）及び前記電線保持部（１２）を覆うカバー部（１３）と、を備えたワイヤハーネス用プロテクタ（１０）であって、
前記本体部（１１）は、
前記複数の経路として隔壁（２３）に隔てられた第１経路（３１）及び第２経路（３２）を含むと共に、前記第１経路（３１）を挟んで前記隔壁（２３）と向かい合う第１側壁（２１）、及び、前記第２経路（３２）を挟んで前記隔壁（２３）と向かい合う第２側壁（２２）、を有し、
前記電線保持部（１２）は、
前記第１経路（３１）の上側を通って前記第１側壁（２１）から前記隔壁（２３）に向けて延びるように配置可能な保持片（４１）、前記第２経路（３２）の下側を通って前記隔壁（２３）から前記第２側壁（２２）に向けて延びるように配置可能な係合片（４２）、及び、前記保持片（４１）と前記係合片（４２）とを繋ぐ中間片（４３）、を有すると共に、前記本体部（１１）に固定可能である、
ワイヤハーネス用プロテクタであること。
（２）（主に、図１〜４を参照。）
上記（１）に記載のワイヤハーネス用プロテクタにおいて、
前記隔壁（２３）が、
前記第１経路（３１）と前記第２経路（３２）とが連通した連通部（２４）を有し、
前記中間片（４３）が、
前記連通部（２４）を塞ぐように配置可能である、
ワイヤハーネス用プロテクタであること。
（３）（主に、図１〜４を参照。）
上記（２）に記載のワイヤハーネス用プロテクタであって、
前記本体部（１１）が、
前記第１経路（３１）と前記第２経路（３２）とが合流する第３経路（３３）を有し、  前記隔壁（２３）が、
前記第１経路（３１）と前記第２経路（３２）の合流位置（Ｇ）から離れた位置に前記連通部（２４）を有する、
ワイヤハーネス用プロテクタであること。
（４）（主に、図１〜４を参照。）
上記（１）〜上記（３）の何れか一つに記載のワイヤハーネス用プロテクタにおいて、  前記電線保持部（１２）が、
前記保持片（４１）が前記第１側壁（２１）にヒンジ部（４４）を介して回転可能に接続され、且つ、前記係合片（４２）が前記第２側壁（２２）に係合可能な係合部（４５）を有する、ように構成され、
前記本体部（１１）が、
前記係合部（４５）に対応する被係合部（２６）を有する、ように構成された、
ワイヤハーネス用プロテクタであること。
（５）（主に、図５〜９を参照。）
複数の電線（１）と、複数の経路を内部に画成するプロテクタ（１０）と、を備えたワイヤハーネス（ＷＨ）の製造方法であって、
前記プロテクタ（１０）は、
前記複数の経路として隔壁（２３）に隔てられた第１経路（３１）及び第２経路（３２）を含むと共に、前記第１経路（３１）を挟んで前記隔壁（２３）と向かい合う第１側壁（２１）、及び、前記第２経路（３２）を挟んで前記隔壁（２３）と向かい合う第２側壁（２２）、を有する本体部（１１）と、
前記第１経路（３１）の上側を通って前記第１側壁（２１）から前記隔壁（２３）に向けて延びるように配置可能な保持片（４１）、前記第２経路（３２）の下側を通って前記隔壁（２３）から前記第２側壁（２２）に向けて延びるように配置可能な係合片（４２）、及び、前記保持片（４１）と前記係合片（４２）とを繋ぐ中間片（４３）、を有すると共に、前記本体部（１１）に固定可能な電線保持部（１２）と、
前記本体部（１１）及び前記電線保持部（１２）を覆うカバー部（１３）と、を有する、
と共に、
前記第１経路（３１）に前記複数の電線（１）の一部である第１電線群（７１）を収容する第１工程と、
前記保持片（４１）によって前記第１電線群（７１）を前記第１経路（３１）内に保持すると共に、前記係合片（４２）によって前記電線保持部（１２）を前記本体部（１１）に固定する第２工程と、
前記第２経路（３２）に前記複数の電線（１）の他の一部である第２電線群（７２）を前記係合片（４２）の上側を通過するように収容する第３工程と、
前記本体部（１１）及び前記電線保持部（１２）を覆うように前記カバー部（１３）を前記本体部（１１）に固定することにより、前記第２電線群（７２）を前記第２経路（３２）内に保持する第４工程と、を含む、
ワイヤハーネスの製造方法であること。
（６）（主に、図５〜９を参照。）
上記（５）に記載のワイヤハーネスの製造方法であって、
前記第３工程が、
前記第２電線群（７２）に配索用部品（７５）を取り付ける工程と、前記配索用部品（７５）の少なくとも一部が前記プロテクタ（１０）の内部に位置するように前記第２電線群（７２）を前記第２経路（３２）に配置する工程と、を含む、
ワイヤハーネスの製造方法であること。
【００７２】
更に、上述した本発明に係る実施形態の他の特徴（ワイヤハーネスの特徴）を、それぞれ以下［７］〜［９］に簡潔に纏めて列記する。
［７］（主に、図１〜４を参照。）
複数の電線（１）と、複数の経路を内部に画成するプロテクタ（１０）と、を備えたワイヤハーネス（ＷＨ）であって、
前記プロテクタ（１０）は、
前記複数の経路として隔壁（２３）に隔てられた第１経路（３１）及び第２経路（３２）を含むと共に、前記第１経路（３１）を挟んで前記隔壁（２３）と向かい合う第１側壁（２１）、及び、前記第２経路（３２）を挟んで前記隔壁（２３）と向かい合う第２側壁（２２）、を有する本体部（１１）と、
前記第１経路（３１）の上側を通って前記第１側壁（２１）から前記隔壁（２３）に向けて延びるように配置された保持片（４１）、前記第２経路（３２）の下側を通って前記隔壁（２３）から前記第２側壁（２２）に向けて延びるように配置された係合片（４２）、及び、前記保持片（４１）と前記係合片（４２）とを繋ぐ中間片（４３）、を有すると共に、前記本体部（１１）に固定された電線保持部（１２）と、
前記本体部（１１）及び前記電線保持部（１２）を覆うカバー部（１３）と、を有し、
前記複数の電線（１）は、
前記第１経路（３１）に該複数の電線（１）の一部である第１電線群（７１）が収容され、前記第２経路（３２）に該複数の電線（１）の他の一部である第２電線群（７２）が収容された状態にて、前記プロテクタ（１０）に保持された、
ワイヤハーネス。
［８］（主に、図１〜４を参照。）
［７］に記載のワイヤハーネスにおいて、
前記プロテクタ（１０）が、
前記本体部（１１）が、前記第１経路（３１）と前記第２経路（３２）とが合流する第３経路（３３）を有し、
前記隔壁（２３）が、前記第１経路（３１）と前記第２経路（３２）とが連通した連通部（２４）であって、前記第１経路（３１）と前記第２経路（３２）の合流位置（Ｇ）から離れた位置に形成された連通部（２４）を有し、
前記中間片（４３）が、前記連通部（２４）を塞ぐように配置される、ように構成され、
前記複数の電線（１）が、
前記第１電線群（７１）と前記第２電線群（７２）とが合流した第３電線群（７３）が前記第３経路（３３）に収容され、且つ、前記第１経路（３１）から前記合流位置（Ｇ）を経由して前記第２経路（３２）に向かう少なくとも１本の電線（１Ａ）が存在する状態にて、前記プロテクタ（１０）に収容された、
ワイヤハーネス。
［９］（主に、図１〜４を参照。）
［７］又は［８］に記載のワイヤハーネスであって、
前記第２電線群（７２）に取り付けられた配索用部品（７５）を備え、
前記配索用部品（７５）が、
前記プロテクタ（１０）の内部に該配索用部品（７５）の少なくとも一部が位置するように配置された、
ワイヤハーネス。
【符号の説明】
【００７３】
１：  電線
１０：ワイヤハーネス用プロテクタ（プロテクタ）
１１：本体部
１２：電線保持部
１３：カバー部
２１：第１側壁
２２：第２側壁
２３：隔壁
２４：連通部
３１：第１経路
３２：第２経路
３３：第３経路
４１：保持片
４２：係合片
４３：中間片
４４：ヒンジ部
７１：第１電線群
７２：第２電線群
７３：第３電線群
７５：配索用部品
ＷＨ：ワイヤハーネス
Ｇ：  合流位置
【図１】
0006383345.tif 000002
【図２】
0006383345.tif 000003
【図３】
0006383345.tif 000004
【図４】
0006383345.tif 000005
【図５】
0006383345.tif 000006
【図６】
0006383345.tif 000007
【図７】
0006383345.tif 000008
【図８】
0006383345.tif 000009
【図９】
0006383345.tif 000010
【図１０】
0006383345.tif 000011
【図１１】
0006383345.tif 000012